(57)【要約】      （修正有）【課題】生成された検液を計量しながら採取することが容易な微生物検査用の検液調製袋部材を提供する。【解決手段】検液調製袋部材１は、検体及び希釈液を混合して検液を生成するためのものである。検液調製袋部材１は、検体及び希釈液を投入する投入口３と、検体及び希釈液を混合してなる検液を排出する排出口４と、が設けられた袋本体ユニット２と、袋本体ユニット２に分離可能に取り付けられ排出口４を覆う計量キャップ４０と、を備える。計量キャップ４０には、袋本体ユニット２から取り外された状態において排出口４から排出される検液を計量するための計量手段が設けられている。【選択図】図１
2016138869.tif 000002
【特許請求の範囲】
【請求項１】
検体及び希釈液を混合して検液を生成するための微生物検査用の検液調製袋部材であって、
検体及び希釈液を投入する投入口と、検体及び希釈液を混合してなる検液を排出する排出口と、が設けられた袋本体ユニットと、
前記袋本体ユニットに分離可能に取り付けられ前記排出口を覆う計量キャップと、
を備え、
前記計量キャップには、前記袋本体ユニットから分離された状態において前記排出口から排出される検液を計量するための計量手段が設けられている、微生物検査用の検液調製袋部材。
【請求項２】
前記計量キャップ及び前記袋本体ユニットの一方に、雄ネジが形成されていて、
前記計量キャップ及び前記袋本体ユニットの他方に、前記雄ネジに螺合される雌ネジが形成されている、請求項１に記載の微生物検査用の検液調製袋部材。
【請求項３】
前記袋本体ユニットは、前記投入口及び前記排出口が設けられ検体及び希釈液を収容する可撓性の袋本体と、前記袋本体に取り付けられ前記投入口を覆う蓋材と、を有し、
前記計量キャップは、前記袋本体に分離可能に取り付けられて前記排出口を覆っている、請求項１または２に記載の微生物検査用の検液調製袋部材。
【請求項４】
前記袋本体ユニットは、前記投入口が設けられ検体及び希釈液を収容する可撓性の袋本体と、前記袋本体に取り付けられ前記投入口を覆う蓋材と、を有し、
前記排出口は、前記蓋材に設けられていて、
前記計量キャップは、前記蓋材に取り外し可能に取り付けられて前記排出口を覆っている、請求項１または２に記載の微生物検査用の検液調製袋部材。
【請求項５】
前記蓋材に取り付けられた計量具をさらに備え、
前記計量具は、前記蓋材で前記投入口を覆った状態において、前記袋本体内に収容されている、請求項３または４に記載の微生物検査用の検液調製袋部材。
【請求項６】
前記計量キャップが前記袋本体ユニットから分離された状態において前記袋本体ユニットが押圧されると、前記排出口から前記検液が排出するようになっていて、
前記計量キャップが前記袋本体ユニットから分離され且つ前記袋本体ユニットが押圧されていない状態において、前記排出口から前記検液が排出されないようになっている、請求項１乃至５のいずれか一項に記載の微生物検査用の検液調製袋部材。
【請求項７】
前記計量手段は、前記計量キャップに設けられた目盛である、請求項１乃至６のいずれか一項に記載の微生物検査用の検液調製袋部材。
【請求項８】
前記袋本体ユニットの前記排出口にフィルタが挿入されている、請求項１乃至７のいずれか一項に記載の微生物検査用の検液調製袋部材。
【請求項９】
当該検液調製袋部材は、ホモジナイズ袋として構成されている、請求項１乃至８のいずれか一項に記載の微生物検査用の検液調製袋部材。
【発明の詳細な説明】
【技術分野】
【０００１】
本発明は、検体及び希釈液を混合して検液を生成するための微生物検査用の検液調製袋部材に係り、とりわけ、生成された検液を計量することが可能な微生物検査用の検液調製袋部材に関する。
【背景技術】
【０００２】
微生物を検査する際に検液を調製するために使用される微生物検査用の検液調製袋部材が知られている。典型的な検液調製袋部材として、食品等の固形物を破砕させて固形物に含まれる微生物を希釈液内に均等に分散させて検液を生成するホモジナイズ袋が知られている（特許文献１参照）。
【０００３】
ホモジナイズ袋を用いて微生物検査を行う場合、まず、生魚、生肉や野菜等の検体が、滅菌された生理食塩水等の希釈液とともに、予め滅菌されているホモジナイズ袋に、その開口部を介して投入される。続いて、ホモジナイズ袋の開口部を密封してホモジナイザにセットし、検体を揉むようにして検体中の微生物を希釈液中に懸濁させ、検体が希釈液とともに均質化される。このことにより、微生物検査を行うための検液が調製される。その後、調製された検液を、ホモジナイズ袋の開口部を介してピペットで採取し、採取された検液を、微生物検査器に滴下して、微生物数のカウントに代表される検査が行われる。
【先行技術文献】
【特許文献】
【０００４】
【特許文献１】特開平５−２０５９８号公報
【発明の概要】
【発明が解決しようとする課題】
【０００５】
検液を計量して採取するためには、ピペットを使用せざるをえない。しかしながら、滅菌したピペットを採取前に準備することは、煩雑である。
【０００６】
本発明はこのような点を考慮してなされたものであり、生成された検液を計量しながら採取することが容易な微生物検査用の検液調製袋部材を提供することを目的とする。
【課題を解決するための手段】
【０００７】
本発明による検液調製袋部材は、検体及び希釈液を混合して検液を生成するための微生物検査用の検液調製袋部材であって、
検体及び希釈液を投入する投入口と、検体及び希釈液を混合してなる検液を排出する排出口と、が設けられた袋本体ユニットと、
前記袋本体ユニットに分離可能に取り付けられ前記排出口を覆う計量キャップと、
を備え、
前記計量キャップには、前記袋本体ユニットから分離された状態において前記排出口から排出される検液を計量するための計量手段が設けられている。
【０００８】
本発明による検液調製袋部材において、前記計量キャップ及び前記袋本体ユニットの一方に、雄ネジが形成されていて、前記計量キャップ及び前記袋本体ユニットの他方に、前記雄ネジに螺合される雌ネジが形成されていてもよい。
【０００９】
本発明による検液調製袋部材において、前記袋本体ユニットは、前記投入口及び前記排出口が設けられ検体及び希釈液を収容する可撓性の袋本体と、前記袋本体に取り付けられ前記投入口を覆う蓋材と、を有し、前記計量キャップは、前記袋本体に分離可能に取り付けられて前記排出口を覆っていてもよい。
【００１０】
本発明による検液調製袋部材において、前記袋本体ユニットは、前記投入口が設けられ検体及び希釈液を収容する可撓性の袋本体と、前記袋本体に取り付けられ前記投入口を覆う蓋材と、を有し、前記排出口は、前記蓋材に設けられていて、前記計量キャップは、前記蓋材に取り外し可能に取り付けられて前記排出口を覆っていてもよい。
【００１１】
本発明による検液調製袋部材において、前記蓋材に取り付けられた計量具をさらに備え、前記計量具は、前記蓋材で前記投入口を覆った状態において、前記袋本体内に収容されていてもよい。
【００１２】
本発明による検液調製袋部材において、前記計量キャップが前記袋本体ユニットから分離された状態において前記袋本体ユニットが押圧されると、前記排出口から前記検液が排出するようになっていて、前記計量キャップが前記袋本体ユニットから分離され且つ前記袋本体ユニットが押圧されていない状態において、前記排出口から前記検液が排出されないようになっていてもよい。
【００１３】
本発明による検液調製袋部材において、前記計量手段は、前記計量キャップに設けられた目盛であってもよい。
【００１４】
本発明による検液調製袋部材において、前記袋本体ユニットの前記排出口にフィルタが挿入されていてもよい。
【００１５】
本発明による検液調製袋部材において、当該検液調製袋部材は、ホモジナイズ袋として構成されていてもよい。
【発明の効果】
【００１６】
本発明によれば、計量キャップが袋本体ユニットに分離可能に取り付けられているため、計量キャップを袋本体ユニットから取り外した状態で、計量キャップを用いて排出口から排出される検液を採取することができる。そして、この計量キャップに、検液を計量するための計量手段が設けられているため、排出口から採取される検液を計量手段で計量しながら容易に採取することが可能となる。
【図面の簡単な説明】
【００１７】
【図１】図１は、一実施の形態による微生物検査用の検液調製袋部材を示す縦断面図である。
【図２】図２は、図１に示す計量キャップの斜視図である。
【図３】図３は、検液調製袋部材をホモジナイズするホモジナイザの一例を示す斜視図である。
【図４】図４は、図１に示す検液調製袋部材の袋本体にさらに目盛を設けた例を示す正面図である。
【図５】図５は、図４に示す検液調製袋部材に予め希釈液を収容させた例を示す正面図である。
【図６】図６は、図５に示す検液調製袋部材に、総重量を表示した例を示す正面図である。
【図７】図７は、図１に示す検液調製袋部材が計量器具をさらに備える例を示す縦断面図である。
【図８】図８は、図１に示す検液調製袋部材の変形例を示す縦断面図である。
【図９】図９は、図１に示す検液調製袋部材の別の変形例を示す縦断面図である。
【発明を実施するための形態】
【００１８】
以下、図面を参照して本発明の実施の形態について説明する。なお、本明細書に添付する図面においては、図示と理解のしやすさの便宜上、適宜縮尺及び縦横の寸法比等を、実物のそれらから変更し誇張してある。図１乃至図９は、一実施の形態による微生物検査用の検液調製袋部材１を説明するための図である。このうち、図１は、一実施の形態による微生物検査用の検液調製袋部材１を示す縦断面図である。
【００１９】
図１に示す微生物検査用の検液調製袋部材１は、検体及び希釈液を混合して検液を生成するための袋状の部材である。典型的には、検液調製袋部材１として、食品等から得られる検体、例えば食品に含まれる固形物からなる検体を破砕させて希釈液内にむらなく分散させるホモジナイズ袋が挙げられる。ホモジナイズ袋は、検体及び希釈液を収容した後、ホモジナイザ１０１（図３参照）を用いて押圧されることにより、検体を希釈液内にむらなく分散させるようになっている。以下では、検液調製袋部材１がホモジナイズ袋として構成された例を用いて説明していく。
【００２０】
図１に示すように、検液調製袋部材１は、検体及び希釈液を投入する投入口３と、検体及び希釈液を混合してなる検液を排出する排出口４と、が設けられた袋本体ユニット２と、袋本体ユニット２に分離可能に取り付けられ排出口４を覆う計量キャップ４０と、を有している。
【００２１】
このうち、袋本体ユニット２は、投入口３及び排出口４が設けられ、検体及び希釈液を混合して検体を生成するための空間を提供する部分である。図１及び図２に示す袋本体ユニット２は、投入口３及び排出口４が設けられ検体及び希釈液を収容する袋本体１１と、袋本体１１に取り付けられ投入口３を覆う蓋材２０と、を有している。
【００２２】
袋本体１１は、検体及び希釈液を収容し且つ検体及び希釈液を混合するための空間を規定する。本実施の形態の袋本体１１は、可撓性を呈する。この場合、袋本体１１は、ホモジナイザ１０１による押圧によって変形しその押圧力を検体及び希釈液に有効に伝えることができる。
【００２３】
具体的な構成として、袋本体１１は、矩形状の表面フィルム１４ａと裏面フィルム１４ｂとを含み、これらの表面フィルム１４ａおよび裏面フィルム１４ｂが、その周縁をヒートシールされている。
【００２４】
表面フィルム１４ａおよび裏面フィルム１４ｂに用いる材料としては、耐水性、ホモジナイズ時の衝撃に耐え得る耐衝撃性、ガンマ線滅菌処理に耐え得るガンマ線滅菌耐性を有していれば特に限られることはなく、例えば、低密度ポリエチレン（ＬＤＰＥ）、直鎖状低密度ポリエチレン（Ｌ−ＬＤＰＥ）、ポリプロピレン（ＰＰ）、ナイロン（ＯＮ）及び直鎖状低密度ポリエチレンを含む積層体、ナイロン、低密度ポリエチレン及び直鎖状低密度ポリエチレンを含む積層体、ポリエチレンテレフタレート（ＰＥＴ）及び低密度ポリエチレンを含む積層体、ポリエチレンテレフタレート及び直鎖状低密度ポリエチレンを含む積層体等を挙げることができる。また、表面フィルム１４ａおよび裏面フィルム１４ｂの厚みは、所望の耐衝撃性および取扱性を有していれば特に限られることはなく、例えば、６５μｍ〜８０μｍとすることができる。
【００２５】
ただし、袋本体１１は、２つのフィルム１４ａ、１４ｂをヒートシールして成形される形態に限定されず、種々の形態を採用し得る。例えば、袋本体１１は、単一のフィルムを筒状に丸め、重なり合う端部をヒートシールして製袋されてもよいし、インフレーション成形によって樹脂材料を筒状に成形して製袋されてもよい。
【００２６】
袋本体１１のうちの図１中上方に上開口１１ａが形成され、この上開口１１ａの周りに蓋取付部品１２が接合されている。蓋取付部品１２は、蓋材２０を袋本体１１に連結するための部品である。本実施の形態において、蓋取付部品１２は、袋本体１１にヒートシール性をもつ樹脂材料からなり、袋本体１１にヒートシールされている。ヒートシール性をもつ樹脂材料の一例として、ポリエチレンが挙げられる。
【００２７】
図１に示す例では、蓋取付部品１２は、袋本体１１にヒートシールされたフランジ部１２ａと、フランジ部１２ａから袋本体１１とは反対側に延びだした筒部１２ｂと、を含んでいる。筒部１２ｂの延び出した先端に上述の投入口３が形成されている。この筒部１２ｂの先端に形成された投入口３は、筒部１２ｂの中空空間を介して袋本体１１の上開口１１ａに繋がっている。
【００２８】
筒部１２ｂの外面には、雄ネジ１２ｄが形成されていて、この雄ネジ１２ｄに蓋材２０
が締結されている。具体的には、蓋材２０は、円盤状の天壁２１と、天壁２１の周縁から延び出した筒状の胴壁２２と、により構成され、胴壁２２の内面に雌ネジ２２ａが形成されている。蓋材２０の雌ネジ２２ａを蓋取付部品１２の雄ネジ１２ｄに螺合させることにより、天壁２１で投入口３を塞いで閉鎖することができる。
【００２９】
また、袋本体１１のうちの上開口１１ａと対面する位置に下開口１１ｂが形成され、この下開口１１ｂの周りにキャップ取付部品１３が接合されている。キャップ取付部品１３は、計量キャップ４０を袋本体１１に連結するための部品である。キャップ取付部品１３は、袋本体１１、蓋取付部品１２及び蓋材２０と共に、袋本体ユニット２を構成する。本実施の形態において、キャップ取付部品１３は、袋本体１１にヒートシール性をもつ樹脂材料からなり、袋本体１１にヒートシールされている。ヒートシール性をもつ樹脂材料の一例として、ポリエチレンが挙げられる。
【００３０】
図１に示す例では、キャップ取付部品１３は、袋本体１１にヒートシールされたフランジ部１３ａと、フランジ部１３ａから袋本体１１とは反対側に延びだした大径筒部１３ｂと、大径筒部１３ｂの先端から袋本体１１とは反対側にさらに延び出した小径筒部１３ｃと、を含んでいる。小径筒部１３ｃは、大径筒部１３ｂよりもその内径が小さくなっている。
【００３１】
小径筒部１３ｃの延び出した先端に上述の排出口４が形成されている。この小径筒部１３ｃの先端に形成された排出口４は、大径筒部１３ｂ及び小径筒部１３ｃの中空空間を介して袋本体１１の下開口１１ｂに繋がっている。
【００３２】
大径筒部１３ｂの外面には、雄ネジ１３ｄが形成されていて、この雄ネジ１３ｄに計量キャップ４０が締結されている。計量キャップ４０は、キャップ取付部品１３に取り付けられた状態において排出口４を塞いでいる。また、計量キャップ４０は、キャップ取付部品１３から取り外された状態において排出口４から採取される検液を計量するようになっている。
【００３３】
図１に示すように、計量キャップ４０は、円盤状の底壁４１と、底壁４１の周縁から延び出した筒状の胴壁４２と、により構成されている。底壁４１と胴壁４２とによって規定される空間内に、排出口４からの検液を受容する受容空間が規定されている。
【００３４】
胴壁４２の内面に雌ネジ４２ａが形成されている。計量キャップ４０の雌ネジ４２ａをキャップ取付部品１３の雄ネジ１３ｄに螺合させることにより、底壁４１で排出口４を塞いで閉鎖することができる。
【００３５】
図２に、計量キャップ４０を拡大して示す。計量キャップ４０には、図２中上方に位置するキャップ開口４３が形成されている。キャップ開口４３は、胴壁４２のうちの底部４１とは反対側となる端部に形成されている。このキャップ開口４３を介して計量キャップ４０内の受容空間Ｓに排出口４からの検液が進入するようになっている。
【００３６】
さて、袋本体１１内で検体及び希釈液を混合して生成された検液は、計量されながら採取される必要がある。従来のように、滅菌したピペットを準備して、ピペットを用いて投入口３から検液を採取するのは、煩わしい。そこで、本実施の形態では、計量キャップ４０を用いて検液を計量しながら採取することができるよう、計量キャップ４０に計量手段５０が設けられている。
【００３７】
計量手段５０は、計量キャップ４０が袋本体１１から取り外された状態において、排出口４から排出される検液を計量するためのものである。本実施の形態において、計量手段５０は、計量キャップ４０の胴壁４２の外面に形成された目盛である。図２に示すように、目盛からなる計量手段５０は、胴壁４２の周方向に延びる複数の目盛線５１、５２が、胴壁４２の軸方向に等間隔で並べられている。各目盛線５１、５２は、受容空間Ｓに受容される検液の液面の位置に合わせて付されている。検液の液面が目盛線５１、５２と重なる場合、目盛線５１、５２に対して記された液量と、受容空間Ｓに受容される検液の液量とが一致する。したがって、目盛線５１、５２に合わせて排出口４から検液を取り出すことにより、検液を計量しながら採取することができるようになっている。なお、典型的には１ｍＬの検液を採取することが多いため、図３に示す例では、１ｍＬを基準として目盛線５１、５２が付されている。
【００３８】
図１に戻って、排出口４にフィルタ５が挿入されている。フィルタ５は、排出口４から排出される検液を濾過するためのものである。具体的には、フィルタ５は、ホモジナイズされた固形物による残渣を取り除き、微生物を透過させるようになっている。フィルタ５は、微生物を透過させるが塵等の固形物を通過させないものであれば、その材質や構造は特に限定されない。
【００３９】
次に、以上のような構成からなる微生物検査用の検液調製袋部材１の使用方法について説明する。
【００４０】
先ず、図３を参照して検液調製袋部材１と共に用いられるホモジナイザ１０１について説明する。図３は、検液調製袋部材１をホモジナイズするホモジナイザ１０１の一例を示す斜視図である。
【００４１】
ホモジナイザ１０１は、ストマッカーとも呼ばれる。図３に示すように、ホモジナイザ１０１は、筐体１０２と、筐体１０２内に設けられ、検体および希釈液が投入された検液調製袋部材１が収容される収容部１０３と、収容部１０３内に設けられたパドル１０４と、を有している。パドル１０４は、往復運動して、検液調製袋部材１内の検体を押圧するようになっている。筐体１０２の前面には蓋１０５が設けられており、蓋１０５を開けることにより、検液調製袋部材１を収容部１０３内に挿入し、または収容部１０３から検液調製袋部材１を取り出すようになっている。パドル１０４を駆動してホモジナイズする際には、蓋１０５は閉められ、閉められた蓋１０５と筐体１０２とによって検液調製袋部材１が保持されるようになっている。
【００４２】
次に、ホモジナイザ１０１を用いた検液調製袋部材１の使用方法について説明していく。図１から理解されるように、先ず、蓋取付部品１２から蓋材２０を取り外し、投入口３を露出させる。続いて、露出した投入口３から、袋本体１１の内部に検体および希釈液が投入される。検体および希釈液が投入された後、再び蓋材２０が蓋取付部品１２に締結される。
【００４３】
次に、検体および希釈液が投入された検液調製袋部材１が、図３に示すホモジナイザ１０１にセットされ、検体および希釈液の均質化（ホモジナイズ）が行われる。この場合、ホモジナイザ１０１のパドル１０４が往復運動して、袋本体１１内の検体を押圧する。このことにより、検体が揉まれて検体中の微生物が希釈液中に懸濁される。このようにして、微生物検査を行うための検液が調製される。
【００４４】
検液が調製された後、検液調製袋部材１がホモジナイザ１０１から取り外される。その後、キャップ取付部品１３から計量キャップ４０を取り外し、排出口４を露出させる。このとき、袋本体１１が押圧されていない状態つまり袋本体１１が無負荷状態であれば、排出口４から検液が自重では排出されない。その要因として、排出口４にフィルタ５が挿入されていること、大径筒部１３ｂよりも小径な小径筒部１３ｃに排出口４が設けられていることにより排出口４の径が小さいこと、が挙げられる。
【００４５】
次に、袋本体１１を押圧して変形させると共に内圧を高め、排出口４から検液を押し出して計量キャップ４０で受け留める。上述のように、計量キャップ４０には、排出口４から排出される検液を計量するための計量手段５０が設けられている。このため、検液の液面が目標の目盛線５１と重なるまで、排出口４から検液を取り出すことにより、検液を計量しながら所望の量を採取することができる。
【００４６】
計量キャップ４０に採取された検液は、不図示の微生物検査器に滴下されて、微生物数のカウントに代表される検査が行われる。
【００４７】
以上のように、本実施の形態によれば、検体及び希釈液を混合して検液を生成するための微生物検査用の検液調製袋部材１であって、検体及び希釈液を投入する投入口３と、検体及び希釈液を混合してなる検液を排出する排出口４と、が設けられた袋本体ユニット２と、袋本体ユニット２に分離可能に取り付けられ排出口４を覆う計量キャップ４０と、を備え、計量キャップ４０には、袋本体ユニット２から取り外された状態において排出口４から排出される検液を計量するための計量手段５０が設けられている。このような形態によれば、計量キャップ４０が袋本体ユニット２に分離可能に取り付けられているため、計量キャップ４０を袋本体ユニット２から取り外した状態で、計量キャップ４０を用いて排出口４から排出される検液を採取することができる。そして、この計量キャップ４０に、検液を計量するための計量手段５０が設けられているため、排出口４から採取される検液を計量手段５０で計量しながら容易に採取することが可能となる。
【００４８】
また、本実施の形態によれば、計量キャップ４０及び袋本体ユニット２の一方に、雄ネジ１３ｄが形成されていて、計量キャップ４０及び袋本体ユニット２の他方に、雄ネジ１３ｄに螺合される雌ネジ４２ａが形成されている。計量キャップ４０と袋本体ユニット２とを、雄ネジ１３ｄと雌ネジ４２ａとを用いて締結することにより、排出口４を確実に密閉することができる。これにより、ホモジナイズ時に大きな圧力が袋本体ユニット２に負荷されても、排出口４から検体を含む希釈液が漏れ出すことを妨げることができる。
【００４９】
また、本実施の形態によれば、袋本体ユニット２は、投入口３及び排出口４が設けられ検体及び希釈液を収容する可撓性の袋本体１１と、袋本体１１に取り付けられ投入口３を覆う蓋材２０と、を有し、計量キャップ４０は、袋本体１１に分離可能に取り付けられている。袋本体１１が可撓性をもつことにより、ホモジナイザ１０１による押圧によって袋本体１１が変形しその押圧力を検体及び希釈液に効果的に伝えることができる。また、袋本体１１が可撓性をもつことにより、袋本体１１を押圧して内圧を高めることで、排出口４から検液を容易に取り出すことができる。
【００５０】
また、本実施の形態によれば、計量キャップ４０が袋本体ユニット２から分離された状態において袋本体ユニット２が押圧されると、排出口４から検液が排出するようになっていて、計量キャップ４０が袋本体ユニット２から分離され且つ袋本体ユニット２が押圧されていない状態において、排出口４から検液が排出されないようになっている。このような形態によれば、袋本体ユニット２から計量キャップ４０を取り外したときに、排出口４から検液が自重で排出されることを防止することができる。
【００５１】
また、本実施の形態によれば、計量手段５０は、計量手段５０に設けられた目盛である。この場合、検液の液面を目標の目盛線５１と重なるまで排出口４から検液を取り出すことにより、検液を計量しながら容易に採取することができる。
【００５２】
また、本実施の形態によれば、袋本体ユニット２の排出口４にフィルタ５が挿入されている。この場合、排出口４から排出される検液を濾過することができるため、検体に含まれる微生物をより正確に計測することが可能となる。
【００５３】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００５４】
上述した実施の形態による検液調製袋部材１において、計量キャップ４０だけでなく袋本体ユニット２にも、袋計量手段６０が設けられていてもよい。図４に、袋本体ユニット２に、袋計量手段６０が設けられた例を正面図として示す。
【００５５】
袋計量手段６０は、袋本体ユニット２に投入口３から投入される検体及び希釈液を計量するためのものである。本実施の形態において、袋計量手段６０は、袋本体１１の表面に形成された目盛である。図４に示すように、目盛からなる袋計量手段６０は、袋本体１１の幅方向に延びる複数の目盛線６１、６２が、袋本体１１の幅方向に直交する長手方向に等間隔で並べられている。各目盛線６１、６２は、袋本体１１に収容される検体及び希釈液の混合液の液面の位置に合わせて付されている。検体及び希釈液の混合液の液面が目盛線６１、６２と重なる場合、目盛線６１、６２に対して記された液量と、袋本体１１に収容された検体及び希釈液の混合液の液量とが一致する。したがって、目盛線６１、６２に合わせて投入口３から検体及び希釈液を投入することにより、検体及び希釈液を計量しながら投入することができるようになっている。なお、図４に示す例では、１００ｍＬを基準として目盛線６１、６２が付されている。
【００５６】
このように、図４に示す袋計量手段６０によれば、別途に計量具を用いなくても、袋本体１１に投入する検体及び希釈液の量を把握することが可能となる。
【００５７】
さらに、図５に、図４に示す検液調製袋部材１に希釈液を予め収容した例を示す。図５に示すように、検液調製袋部材１に予め希釈液を収容させた場合、検体と共に希釈液を検液調製袋部材１内に投入する手間を減らすことができるとともに、希釈液の投入する量を誤るおそれも低減することができる。
【００５８】
さらに、図６に、図５に示す検液調製袋部材１に総重量を表示した例を示す。図６に示す例でも、検液調製袋部材１内に予め定められた量の希釈液が収容されている。そして、検液調製袋部材１には、希釈液を含む検液調製袋部材１の総重量を表示する重量表示部６５が設けられている。図６に示す重量表示部６５には、「１２０ｇ」の文字が記載されている。
【００５９】
図６に示す例によれば、検体を検液調製袋部材１内に投入した後、検体を含む検液調製袋部材１全体の重量を測定することで、投入した検体の正確な重量を容易に確認することができる。
【００６０】
また、上述した実施の形態による検液調製袋部材１は、蓋材２０に取り付けられた計量具６をさらに有してもよい。図７に、蓋材２０に計量具６が取り付けられた例を示す。計量具６は、袋本体１１内に収容された検液を必要に応じて所定の量だけ取り出すためのものである。計量具６は、蓋材２０で投入口３を覆った状態において、袋本体１１内に収容されている。
【００６１】
図７に示す例では、計量具６は、長尺状の柄部分６ａと、柄部分６ａの先端に接続された皿状部分６ｂと、を含む計量スプーンとして構成されている。
【００６２】
図７に示すように、柄部分６ａは、蓋材２０で投入口３を覆った状態において、蓋材２０の内面に設けられた嵌合凹部２３に挿入されて保持されている。嵌合凹部２３に保持された柄部分６ａは、当該嵌合凹部２３から袋本体１１内に向かって延び出している。
【００６３】
柄部分６ａの袋本体１１内に延び出した先端に皿状部分６ｂが接続されている。皿状部分６ｂには窪み６ｃが形成されていて、この窪み６ｃ内に袋本体１１内に収容された検液を所定の量だけ収容して取り出すようになっている。
【００６４】
図７に示す計量具６によれば、滅菌された袋本体１１内で計量具６を保管することができるため、別途滅菌処理した計量具を準備する必要がなくなる。このため、微生物の検査作業をさらに効率よく行うことに寄与する。
【００６５】
また、上述した実施の形態では、図１に示すように、蓋材２０と計量キャップ４０とが袋本体１１を挟んで対向して配置された例を示したが、このような例に限定されない。図８に、計量キャップ４０の他の配置例を示す。図８に示す例では、蓋材２０が袋本体１１の縦方向における一端に配置されている一方で、計量キャップ４０は、縦方向に直交する幅方向における一端に配置されている。この場合、排出口４から取り出される検液の取り出し方を図１に示す例と異ならせることができる点で、メリットをもつ。
【００６６】
また、上述した実施の形態では、図１に示すように、計量キャップ４０が袋本体１１に分離可能に取り付けられた例を示したが、このような例に限定されない。図９に、計量キャップ４０の他の取り付け例を示す。図９に示す例では、袋本体ユニット２は、投入口３が設けられ検体及び希釈液を収容する可撓性の袋本体１１と、袋本体１１に取り付けられ投入口３を覆う蓋材２０と、を有している。そして、排出口４が袋本体１１でなく蓋材２０に設けられていて、計量キャップ４０は、蓋材２０に設けられた排出口４を選択的に覆うように、蓋材２０に取り外し可能に取り付けられている。
【００６７】
図９に示す蓋材２０は、図１に示す蓋材とキャップ取付部品とが一体に成形された構造をもつ。具体的には、蓋材２０は、投入口３を覆う中空円盤状の天壁２１と、天壁２１の周縁から延び出した筒状の胴壁２２と、により構成され、胴壁２２の内面に蓋取付部品１２の雄ネジ１２ｄに螺合する雌ネジ２２ａが形成されている。
【００６８】
さらに、蓋材２０は、天壁２１から袋本体１１とは反対側に延びだした大径筒部２４ｂと、大径筒部２４ｂの先端から袋本体１１とは反対側にさらに延び出した小径筒部２４ｃと、を含んでいる。小径筒部２４ｃは、大径筒部２４ｂよりもその内径が小さくなっている。
【００６９】
小径筒部２４ｃの延び出した先端に上述の排出口４が形成されている。この小径筒部２４ｃの先端に形成された排出口４は、大径筒部２４ｂ及び小径筒部２４ｃの中空空間並びに胴壁２２の中空空間を介して袋本体１１の上開口１１ａに繋がっている。
【００７０】
大径筒部２４ｂの外面には、雄ネジ２４ｄが形成されていて、この雄ネジ２４ｄに計量キャップ４０が締結されている。計量キャップ４０は、キャップ取付部品１３に取り付けられた状態において排出口４を塞いでいる。
【００７１】
図９に示す例によれば、袋本体１１が可撓性をもつことにより、ホモジナイザ１０１による押圧によって変形しその押圧力を検体及び希釈液に効果的に伝えることができる。また、袋本体１１が可撓性をもつことにより、袋本体１１を押圧することで内圧が高められ、排出口４から検液を容易に取り出すことができる。
【００７２】
また、図９に示す例によれば、計量キャップ４０が、蓋材２０に取り外し可能に取り付けられて排出口４を覆っている。この場合、袋本体１１にキャップ４０を取り付ける必要がなくなることから、袋本体１１の継ぎ目、言い換えると接続箇所をできるだけ少なくすることができる。この結果、ホモジナイズ時に大きな圧力が袋本体１１に負荷されても、袋本体１１から検液が漏れ出すおそれを低減することが可能となる。
【符号の説明】
【００７３】
１    検液調製袋部材
２    袋本体ユニット
３    投入口
４    排出口
５    フィルタ
６    計量具
１０  袋本体
１２  蓋取付部品
１３  キャップ取付部品
１３ｄ  雌ネジ
２０  蓋材
４０  計量キャップ
４１  底壁
４２  胴壁
４２ａ  雄ネジ
４３  キャップ開口
５０  計量手段
６０  袋計量手段
【図１】
2016138869.tif 000003
【図２】
2016138869.tif 000004
【図３】
2016138869.tif 000005
【図４】
2016138869.tif 000006
【図５】
2016138869.tif 000007
【図６】
2016138869.tif 000008
【図７】
2016138869.tif 000009
【図８】
2016138869.tif 000010
【図９】
2016138869.tif 000011